(57)【要約】【課題】同一内線番号内でも複数の端末データを管理可能にし、席替によるＤＢの変更に柔軟的に対応したシステムを提供する。【解決手段】複数のＤＢ２と、これらＤＢ毎の端末データを管理するＳＡＴ５とを有し、ＤＢは、ＳＡＴからダウンロードした端末データの設定内容に基づき制御動作を実行するフリーシーティング方式のディーリング通話システム１であって、ＳＡＴは、端末データを識別する内線番号を含む識別情報毎に、同端末データを複数管理する端末データ管理部５１と、ＤＢからフリーシーティング要求を受信すると、同フリーシーティング要求に含まれる識別情報が端末データ管理部内にあるか否かを判定する識別情報判定部５２と、同識別情報が端末データ管理部内にある場合、同識別情報に対応した端末データを端末データ管理部から同フリーシーティング要求のＤＢへダウンロードするダウンロード部５３とを有している。【選択図】図５
2009152746.tif 000002
【特許請求の範囲】
【請求項１】
複数の電話端末と、これら電話端末毎の端末データを管理するデータ管理端末とを有し、前記電話端末は、前記データ管理端末からダウンロードした前記端末データを設定し、同設定内容に基づき制御動作を実行するフリーシーティング方式の電話システムであって、
前記データ管理端末は、
前記端末データを識別する、内線番号を含む識別情報毎に、同端末データを管理する端末データ管理手段と、
前記電話端末から前記ダウンロード対象の端末データに対応する前記識別情報を含むフリーシーティング要求を受信すると、同フリーシーティング要求に含まれる識別情報が前記端末データ管理手段内にあるか否かを判定する識別情報判定手段と、
この識別情報判定手段にて同フリーシーティング要求に含まれる識別情報が前記端末データ管理手段内にあると判定されると、同識別情報に対応した端末データを前記端末データ管理手段から同フリーシーティング要求を発信した前記電話端末へダウンロードするダウンロード手段とを有することを特徴とするフリーシーティング方式の電話システム。
【請求項２】
前記端末データは、
少なくとも、前記電話端末で使用する電話帳データ及び前記電話端末で使用する仕様データを含むことを特徴とする請求項１記載のフリーシーティング方式の電話システム。
【請求項３】
前記識別情報は、
前記端末データを識別する内線番号及びＩＤコードを含み、
前記識別情報判定手段は、
前記フリーシーティング要求に含まれる識別情報内の内線番号及びＩＤコードが前記端末データ管理手段内にあるか否かを判定し、
前記ダウンロード手段は、
前記識別情報判定手段にて前記識別情報内の内線番号及びＩＤコードが前記端末データ管理手段内にあると判定されると、前記端末データ管理手段から前記電話端末へ同内線番号及びＩＤコードに対応した前記端末データをダウンロードすることを特徴とする請求項１記載のフリーシーティング方式の電話システム。
【請求項４】
前記ダウンロード手段は、
前記識別情報判定手段にて前記識別情報内の内線番号及びＩＤコードが前記端末データ管理手段内にないと判定されると、エラーメッセージを前記フリーシーティング要求を発信した前記電話端末に通知することを特徴とする請求項３記載のフリーシーティング方式の電話システム。
【請求項５】
前記ダウンロード手段は、
前記識別情報判定手段にて前記識別情報内の内線番号及びＩＤコードが前記端末データ管理手段内にあると判定されると、同端末データを現在設定中の電話端末があるか否かを判定するデータ設定中判定手段と、
このデータ設定中判定手段にて同端末データを現在設定中の電話端末があると判定されると、同設定中の電話端末に対してエラーメッセージを通知するエラー通知手段とを有することを特徴とする請求項４記載のフリーシーティング方式の電話システム。
【請求項６】
前記ダウンロード手段は、
前記データ設定中判定手段にて同端末データを現在設定中の電話端末がないと判定されると、前記端末データ管理手段から前記電話端末へ同内線番号及びＩＤコードに対応した前記端末データをダウンロードすることを特徴とする請求項５記載のフリーシーティング方式の電話システム。
【請求項７】
前記識別情報は、
前記端末データを識別する内線番号、ＩＤコード及びパスワードを含み、
前記識別情報判定手段は、
前記フリーシーティング要求に含まれる識別情報内の内線番号、ＩＤコード及びパスワードが前記端末データ管理手段内にあるか否かを判定し、
前記ダウンロード手段は、
前記識別情報判定手段にて前記識別情報内の内線番号、ＩＤコード及びパスワードが前記端末データ管理手段内にあると判定されると、前記端末データ管理手段から前記電話端末へ同内線番号、ＩＤコード及びパスワードに対応した前記端末データをダウンロードすることを特徴とする請求項１記載のフリーシーティング方式の電話システム。
【請求項８】
前記ダウンロード手段は、
前記識別情報判定手段にて前記識別情報内の内線番号、ＩＤコード及びパスワードが前記端末データ管理手段内にないと判定されると、エラーメッセージを前記フリーシーティング要求を発信した前記電話端末に通知することを特徴とする請求項７記載のフリーシーティング方式の電話システム。
【請求項９】
前記ダウンロード手段は、
前記識別情報判定手段にて前記識別情報内の内線番号、ＩＤコード及びパスワードが前記端末データ管理手段内にあると判定されると、同端末データを現在設定中の電話端末があるか否かを判定するデータ設定中判定手段と、
このデータ設定中判定手段にて同端末データを現在設定中の電話端末があると判定されると、同設定中の電話端末に対してエラーメッセージを通知するエラー通知手段とを有することを特徴とする請求項８記載のフリーシーティング方式の電話システム。
【請求項１０】
前記ダウンロード手段は、
前記データ設定中判定手段にて同端末データを現在設定中の電話端末がないと判定されると、前記端末データ管理手段から前記電話端末へ同内線番号、ＩＤコード及びパスワードに対応した前記端末データをダウンロードすることを特徴とする請求項９記載のフリーシーティング方式の電話システム。
【発明の詳細な説明】
【技術分野】
【０００１】
本発明は、例えば金融為替取引等に使用するディーリング電話端末等の複数の電話端末を備え、これら複数の電話端末の内、空きの電話端末を自分仕様の電話端末として使用可能に設定するフリーシーティング方式の電話システムに関する。
【背景技術】
【０００２】
従来、このようなフリーシーティング方式の電話システムとしては、複数の電話端末と、これら電話端末の端末データを管理するデータ管理端末と、これら複数の電話端末及びデータ管理端末を収容接続する構内交換機とを有し、データ管理端末は、内線番号毎に電話端末の端末データを一括管理する技術が広く知られている（例えば特許文献１参照）。
【０００３】
特許文献１のフリーシーティング方式の電話システムにおいては、例えばユーザが席替で固定の電話端末を変更する場合、席替前の電話端末の端末データ（内線番号や局データ等）を席替後の電話端末に設定するためには、席替後の電話端末において次のような手順で設定を行う必要がある。
【０００４】
まず、構内交換機は、席替後の電話端末からの所定操作に応じて内線番号の変更を受信し、同席替後の電話端末の内線番号を席替前の電話端末の内線番号に設定変更すると、同設定変更後の内線番号をデータ管理端末に通知する。
【０００５】
そして、データ管理端末は、設定変更後の内線番号を受信すると、同内線番号に対応する端末データ（内線番号や局データ）を読み出し、この読み出した端末データを席替後の電話端末にダウンロードする。
【０００６】
その結果、席替後の電話端末では、ダウンロード内容に基づき、席替前の電話端末の内線番号に対応した端末データを設定することができる。
【特許文献１】特開平１１−２８４７２７号公報（段落番号「０００３」〜「０００６」参照）
【発明の開示】
【発明が解決しようとする課題】
【０００７】
しかしながら、上記特許文献１の電話システムによれば、構内交換機側で席替後の電話端末から、同電話端末の内線番号を席替前の電話端末の内線番号に設定変更し、同設定変更後の内線番号をデータ管理端末に通知し、同データ管理端末側では同内線番号に対応した端末データを読み出し、同端末データを席替後の電話端末にダウンロードするようにしたが、データ管理端末では、内線番号毎に単一の端末データしか管理することができず、例えば同一の内線番号を複数人で共有する場合、同一内線番号内では、ユーザ単位で複数個の端末データを管理することができない。
【０００８】
また、上記特許文献１の電話システムによれば、それぞれの電話端末毎に端末データの管理を行っているので、同一の内線番号を複数人で共有する場合、例えば昼間と夜間とで別々のディーラ（ユーザ）が同一の電話端末を利用する場合、同電話端末の同一の端末データしか利用することができず、しかも、電話端末を利用するディーラ毎に顧客情報（顧客の電話番号）が異なるため、同一の内線番号を利用する他のディーラに自分の顧客情報を秘匿することができない。
【０００９】
本発明は上記点に鑑みてなされたものであり、その目的とするところは、同一内線番号内でも異なる複数の端末データを管理可能にし、これら複数の端末データから任意の端末データを設定することができるため、座席変更に伴う電話端末の変更に柔軟的に対応することができ、しかも、端末データの秘匿性に優れたフリーシーティング方式の電話システムを提供することにある。
【課題を解決するための手段】
【００１０】
上記目的を達成するために本願請求項１記載のフリーシーティング方式の電話システムは、複数の電話端末と、これら電話端末毎の端末データを管理するデータ管理端末とを有し、前記電話端末は、前記データ管理端末からダウンロードした前記端末データを設定し、同設定内容に基づき制御動作を実行するフリーシーティング方式の電話システムであって、前記データ管理端末は、前記端末データを識別する、内線番号を含む識別情報毎に、同端末データを管理する端末データ管理手段と、前記電話端末から前記ダウンロード対象の端末データに対応する前記識別情報を含むフリーシーティング要求を受信すると、同フリーシーティング要求に含まれる識別情報が前記端末データ管理手段内にあるか否かを判定する識別情報判定手段と、この識別情報判定手段にて同フリーシーティング要求に含まれる識別情報が前記端末データ管理手段内にあると判定されると、同識別情報に対応した端末データを前記端末データ管理手段から同フリーシーティング要求を発信した前記電話端末へダウンロードするダウンロード手段とを有するようにした。
【００１１】
従って、本願請求項１記載のフリーシーティング方式の電話システムによれば、内線番号を含む識別情報毎に端末データを管理しておき、前記電話端末から前記ダウンロード対象の端末データに対応する識別情報を含むフリーシーティング要求を受信すると、同フリーシーティング要求に含まれる識別情報が端末データ管理手段内にある場合、同識別情報に対応した端末データを同電話端末へダウンロードするようにしたので、従来のように内線番号毎に単一の端末データを管理するのではなく、同一内線番号内でも複数の端末データを管理可能にし、これら複数の端末データから任意の端末データを設定することができるため、座席変更に伴う電話端末の変更に柔軟的に対応することができ、しかも、端末データの秘匿性を確保することができる。
【００１２】
また、本願請求項２記載のフリーシーティング方式の電話システムは、本願請求項１記載の構成に加えて、前記端末データは、少なくとも、前記電話端末で使用する電話帳データ及び前記電話端末で使用する仕様データを含むようにした。
【００１３】
従って、本願請求項２記載のフリーシーティング方式の電話システムによれば、本願請求項１記載の効果に加えて、前記端末データを、少なくとも前記電話端末で使用する電話帳データ及び前記電話端末で使用する仕様データを含むようにしたので、同電話端末に識別情報に対応した電話帳データ及び仕様データを設定することができる。
【００１４】
また、本願請求項３記載のフリーシーティング方式の電話システムは、本願請求項１記載の構成に加えて、前記識別情報は、前記端末データを識別する内線番号及びＩＤコードを含み、前記識別情報判定手段は、前記フリーシーティング要求に含まれる識別情報内の内線番号及びＩＤコードが前記端末データ管理手段内にあるか否かを判定し、前記ダウンロード手段は、前記識別情報判定手段にて前記識別情報内の内線番号及びＩＤコードが前記端末データ管理手段内にあると判定されると、前記端末データ管理手段から前記電話端末へ同内線番号及びＩＤコードに対応した前記端末データをダウンロードするようにした。
【００１５】
従って、本願請求項３記載のフリーシーティング方式の電話システムによれば、本願請求項１記載の効果に加えて、前記識別情報は、前記端末データを識別する内線番号及びＩＤコードを含むことで、同一内線番号であっても複数の端末データを管理することを可能にし、前記電話端末からのフリーシーティング要求に含まれる内線番号及びＩＤコードが前記端末データ管理手段内にある場合、前記電話端末へ同内線番号及びＩＤコードに対応した端末データをダウンロードするようにしたので、内線番号の他にＩＤコードを含めることで端末データ管理のセキュリティ強化（秘匿性）を図ることは勿論のこと、同一内線番号内でも異なる複数の端末データを管理可能にし、これら複数の端末データから任意の端末データを設定することができるため、座席変更に伴う電話端末の変更に柔軟的に対応することができる。
【００１６】
また、本願請求項４記載のフリーシーティング方式の電話システムは、本願請求項３記載の構成に加えて、前記ダウンロード手段は、前記識別情報判定手段にて前記識別情報内の内線番号及びＩＤコードが前記端末データ管理手段内にないと判定されると、エラーメッセージを、前記フリーシーティング要求を発信した前記電話端末に通知するようにした。
【００１７】
従って、本願請求項４記載のフリーシーティング方式の電話システムによれば、本願請求項３記載の効果に加えて、前記識別情報内の内線番号及びＩＤコードが前記端末データ管理手段内にない場合、エラーメッセージを前記フリーシーティング要求の前記電話端末に通知するようにしたので、電話端末側のユーザは、エラーメッセージに基づき、該当する内線番号及びＩＤコードに対応した端末データがないことを認識することができる。
【００１８】
また、本願請求項５記載のフリーシーティング方式の電話システムは、本願請求項4記載の構成に加えて、前記ダウンロード手段は、前記識別情報判定手段にて前記識別情報内の内線番号及びＩＤコードが前記端末データ管理手段内にあると判定されると、同端末データを現在設定中の電話端末があるか否かを判定するデータ設定中判定手段と、このデータ設定中判定手段にて同端末データを現在設定中の電話端末があると判定されると、同設定中の電話端末に対してエラーメッセージを通知するエラー通知手段とを有するようにした。
【００１９】
従って、本願請求項５記載のフリーシーティング方式の電話システムによれば、本願請求項４記載の効果に加えて、前記識別情報内の内線番号及びＩＤコードが前記端末データ管理手段内にある場合、同端末データを現在設定中の電話端末があるか否かを判定し、同端末データを現在設定中の電話端末がある場合、同設定中の電話端末に対してエラーメッセージを通知するようにしたので、現在設定中の電話端末側のユーザは、エラーメッセージに基づき、同一内線番号に関わる第三者のアクセスを認識することができる。
【００２０】
また、本願請求項６記載のフリーシーティング方式の電話システムは、本願請求項５記載の構成に加えて、前記ダウンロード手段は、前記データ設定中判定手段にて同端末データを現在設定中の電話端末がないと判定されると、前記端末データ管理手段から前記電話端末へ同内線番号及びＩＤコードに対応した前記端末データをダウンロードするようにした。
【００２１】
従って、本願請求項６記載のフリーシーティング方式の電話システムによれば、本願請求項５記載の効果に加えて、前記データ設定中判定手段にて同端末データを現在設定中の電話端末がない場合、前記端末データ管理手段から前記電話端末へ同内線番号及びＩＤコードに対応した前記端末データをダウンロードするようにしたので、複数ユーザの同一内線番号の同時使用による不具合を確実に防止することができる。
【００２２】
また、本願請求項７記載のフリーシーティング方式の電話システムは、本願請求項１記載の構成に加えて、前記識別情報は、前記端末データを識別する内線番号、ＩＤコード及びパスワードを含み、前記識別情報判定手段は、前記フリーシーティング要求に含まれる識別情報内の内線番号、ＩＤコード及びパスワードが前記端末データ管理手段内にあるか否かを判定し、前記ダウンロード手段は、前記識別情報判定手段にて前記識別情報内の内線番号、ＩＤコード及びパスワードが前記端末データ管理手段内にあると判定されると、前記端末データ管理手段から前記電話端末へ同内線番号、ＩＤコード及びパスワードに対応した前記端末データをダウンロードするようにした。
【００２３】
従って、本願請求項７記載のフリーシーティング方式の電話システムは、本願請求項１記載の効果に加えて、前記識別情報は、前記端末データを識別する内線番号、ＩＤコード及びパスワードを含むことで、同一内線番号であっても複数個の端末データを管理することを可能にし、前記電話端末からのフリーシーティング要求に含まれる内線番号、ＩＤコード及びパスワードが前記端末データ管理手段内にある場合、前記電話端末へ同内線番号、ＩＤコード及びパスワードに対応した端末データをダウンロードするようにしたので、内線番号の他にＩＤコード及びパスワードを含めることで端末データ管理のセキュリティ強化（秘匿性）を図ることは勿論のこと、同一内線番号内でも異なる複数の端末データを管理可能にし、これら複数の端末データから任意の端末データを設定することができるため、座席変更に伴う電話端末の変更に柔軟的に対応することができる。
【００２４】
また、本願請求項８記載のフリーシーティング方式の電話システムは、本願請求項７記載の構成に加えて、前記ダウンロード手段は、前記識別情報判定手段にて前記識別情報内の内線番号、ＩＤコード及びパスワードが前記端末データ管理手段内にないと判定されると、エラーメッセージを前記フリーシーティング要求を発信した前記電話端末に通知するようにした。
【００２５】
従って、本願請求項８記載のフリーシーティング方式の電話システムによれば、本願請求項７記載の効果に加えて、前記識別情報内の内線番号、ＩＤコード及びパスワードが前記端末データ管理手段内にない場合、エラーメッセージを前記フリーシーティング要求の前記電話端末に通知するようにしたので、電話端末側のユーザは、エラーメッセージに基づき、該当する内線番号、ＩＤコード及びパスワードに対応した端末データがないことを認識することができる。
【００２６】
また、本願請求項９記載のフリーシーティング方式の電話システムは、本願請求項８記載の構成に加えて、前記ダウンロード手段は、前記識別情報判定手段にて前記識別情報内の内線番号、ＩＤコード及びパスワードが前記端末データ管理手段内にあると判定されると、同端末データを現在設定中の電話端末があるか否かを判定するデータ設定中判定手段と、このデータ設定中判定手段にて同端末データを現在設定中の電話端末があると判定されると、同設定中の電話端末に対してエラーメッセージを通知するエラー通知手段とを有するようにした。
【００２７】
従って、本願請求項９記載のフリーシーティング方式の電話システムによれば、本願請求項８記載の効果に加えて、前記識別情報内の内線番号、ＩＤコード及びパスワードが前記端末データ管理手段内にある場合、同端末データを現在設定中の電話端末があるか否かを判定し、同端末データを現在設定中の電話端末がある場合、同設定中の電話端末に対してエラーメッセージを通知するようにしたので、現在設定中の電話端末側のユーザは、エラーメッセージに基づき、同一内線番号に関わる第三者のアクセスを認識することができる。
【００２８】
また、本願請求項１０記載のフリーシーティング方式の電話システムは、本願請求項９記載の構成に加えて、前記ダウンロード手段は、前記データ設定中判定手段にて同端末データを現在設定中の電話端末がないと判定されると、前記端末データ管理手段から前記電話端末へ同内線番号、ＩＤコード及びパスワードに対応した前記端末データをダウンロードするようにした。
【００２９】
従って、本願請求項１０記載のフリーシーティング方式の電話システムによれば、本願請求項９記載の効果に加えて、前記データ設定中判定手段にて同端末データを現在設定中の電話端末がない場合、前記端末データ管理手段から前記電話端末へ同内線番号、ＩＤコード及びパスワードに対応した前記端末データをダウンロードするようにしたので、複数ユーザの同一内線番号の同時使用による不具合を確実に防止することができる。
【発明の効果】
【００３０】
上記のように構成された本発明のフリーシーティング方式の電話システムによれば、内線番号を含む識別情報毎に端末データを管理しておき、電話端末からダウンロード対象の端末データに対応する識別情報を含むフリーシーティング要求を受信し、同フリーシーティング要求に含まれる識別情報が端末データ管理手段内にある場合、同識別情報に対応した端末データを同電話端末へダウンロードするようにしたので、従来のように内線番号毎に単一の端末データを管理するのではなく、同一内線番号内でも複数の端末データを管理可能にし、これら複数の端末データから任意の端末データを設定することができるため、座席変更に伴う電話端末の変更に柔軟的に対応することができ、しかも、端末データの秘匿性を確保することができる。
【発明を実施するための最良の形態】
【００３１】
以下、図面に基づいて本発明のフリーシーティング方式の電話システムに関わる実施の形態を示すディーリング通話システムについて説明する。図１は本実施の形態を示すディーリング通話システム内部の概略構成を示すブロック図である。
【００３２】
図１に示すディーリング通話システム１は、例えば金融為替取引に使用する複数のディーリング通話端末（以下、単にＤＢと称する）２と、例えば局線回線、ホットライン回線や支店回線等の通信回線３と、ＤＢ２及び通信回線３を収容接続する構内交換機（以下、単にＰＢＸと称する）４と、ＰＢＸ４をシステム管理する管理端末（以下、単にＳＡＴと称する）５とを有している。
【００３３】
ＰＢＸ４は、ＤＢ２との通信インタフェースを司るデジタルライン回路（以下、単にＤＬＩＮと称する）１１と、通信回線３との通信インタフェースを司るトランク（以下、単にＴＲＫと称する）１２と、ＳＡＴ５との通信インタフェースを司る管理端末トランク１３と、ＤＬＩＮ１１、ＴＲＫ１２及び管理端末トランク１３間の通話路を形成する通話路スイッチ（以下、単にＴＳＷと称する）１４と、例えば局データや局プログラム等のＰＢＸ４に関わる様々な情報を記憶する記憶装置（以下、単にＭＭと称する）１５と、ＰＢＸ４全体を制御する制御装置（以下、単にＣＣと称する）１６とを有している。
【００３４】
図２はＤＢ２内部の概略構成を示すブロック図である。
【００３５】
図２に示すＤＢ２は、ＤＬＩＮ１１に接続し、ＩＳＤＮ基本インタフェースのＢチャネルを使用して通話を実行するハンドセット２１と、ＤＬＩＮ１１に接続し、ＩＳＤＮ基本インタフェースの呼制御メッセージ（Ｄチャネル）を送信する呼制御メッセージ送信部２２と、ＤＬＩＮ１１に接続し、呼制御メッセージ（Ｄチャネル）を受信する呼制御メッセージ受信部２３と、呼制御メッセージ送信部２２及び呼制御メッセージ受信部２３で送受信する呼制御メッセージを一時記憶する呼制御メッセージ送受信バッファ２４と、後述するプログラマブルボタン群、例えば切替ボタン、前ページボタンや後ページボタン等の固定ボタン群、ダイヤルボタン群等のボタン操作部２５と、このボタン操作部２５のボタン操作を監視するボタン監視部２６と、動作状態を識別表示する状態ランプ２７と、状態ランプ２７をランプ制御するランプ制御部２８と、様々な情報を表示するＬＣＤ表示部２９と、ＬＣＤ表示部２９を画面制御するＬＣＤ画面コントローラ３０と、ＬＣＤ表示部２９に表示する画面内容を記憶する画面メモリ３１と、例えばボタン操作部２５内の固定ボタン群に設定した固定機能内容や固定プログラム等を記憶した固定記憶装置（以下、単にＲＯＭと称する）３２と、ユーザ毎に異なる回線名称や回線番号等の局データ（電話帳データ）やシステムデータ（仕様データ）等の端末データ等を記憶した一時記憶装置（以下、単にＲＡＭと称する）３３と、このＤＢ２全体を制御する制御プロセッサ（以下、単にＭＰＵと称する）３４と、呼制御メッセージ送受信バッファ２４、ボタン監視部２６、ランプ制御部２８、ＬＣＤ画面コントローラ３０、ＲＯＭ３２、ＲＡＭ３３及びＭＰＵ３４間のデータ経路となる制御バス３５とを有している。
【００３６】
ＭＰＵ３４は、例えば呼制御メッセージ送受信バッファ２４を通じてＤＢ２及びＤＬＩＮ１１間の制御メッセージに基づき呼制御プログラムを実行するものである。
【００３７】
また、ＭＰＵ３４は、ＳＡＴ５側の入力操作に応じてプログラマブルボタン群内の機能ボタンに対応した設定内容や回線ボタンに対応した回線データを適宜変更可能にし、同変更した回線データや設定内容をＲＡＭ３３に記憶更新するものである。
【００３８】
図３はＤＢ２の盤面を端的に示す説明図である。
【００３９】
図３に示すＤＢ２の盤面上には、ハンドセット２１、ボタン操作部２５、状態ランプ２７及びＬＣＤ表示部２９を備えている。
【００４０】
また、ボタン操作部２５は、任意の回線に対して発信や着信応答を指定する回線ボタンや任意の登録機能を指定する機能ボタン等を含むプログラマブルボタン群２５Ａと、ダイヤル番号を入力するダイヤルボタン群２５Ｂとを備えている。尚、ＬＣＤ表示部２９は、プログラマブルボタン群２５のボタン（Ｋ１〜Ｋ２０）毎に、同ボタン内容を示す表示領域２９Ａを分割表示することが可能である。
【００４１】
また、ＤＢ２上のＬＣＤ表示部２９では、複数のページで構成するページネーション機能を備え、これら複数のページとしては、１ページ当りで最大２０回線までの回線名称を登録表示する複数の回線画面ページと、１ページ当りで最大２０個までの機能を登録表示する機能画面ページと、後述するフリーシーティング運用設定処理に要する機能を表示するフリーシーティング画面ページ（図４参照）等とを有している。
【００４２】
また、ボタン操作部２５は、複数ページからページ戻しを実行する前ページボタン２５Ｃと、複数ページからページ送りを実行する後ページボタン２５Ｄと、ワンタッチ操作で複数ページからフリーシーティング画面ページを切替表示する切替ボタン２５Ｅとを有している。尚、ＤＢ２上では、切替ボタン２５Ｅに対応付けて、同切替ボタン２５Ｅの動作状態を識別表示する状態ランプ２７を備え、同状態ランプ２７は、ＬＣＤ表示部２９に表示中の画面がフリーシーティング画面ページの場合は点灯状態、同画面がフリーシーティング画面ページでない場合は消灯状態とし、同状態ランプ２７の点灯状況に応じてフリーシーティング画面ページか否かを識別表示するものである。
【００４３】
図４に示すＬＣＤ表示部２９に表示中のフリーシーティング画面ページ４０では、ダウンロード対象の端末データを識別する識別情報（内線番号、ＩＤコード及びパスワード）を入力する識別情報入力欄４０Ａと、識別情報入力欄４０Ａの入力内容をキャンセル指示するキャンセルボタン４０Ｂと、同識別情報入力欄４０Ａの入力完了を指示する完了ボタン４０Ｃとを有し、ＤＢ２側のユーザは、識別情報入力欄４０Ａの入力内容に基づき、ダウンロード対象の端末データに対応する、自己が入力した識別情報（内線番号、ＩＤコード及びパスワード）を認識することができるものである。
【００４４】
ＤＢ２内のＭＰＵ３４は、ＬＣＤ表示部２９に画面表示中のフリーシーティング画面ページ４０上の識別情報入力欄４０Ａにダウンロード対象の端末データを識別する識別情報（内線番号、ＩＤコード及びパスワード）を入力後、完了ボタン４０Ｃのボタン操作を検出すると、これら識別情報（内線番号、ＩＤコード及びパスワード）を含むフリーシーティング要求をＰＢＸ４経由でＳＡＴ５に通知するものである。
【００４５】
また、ＳＡＴ５は、識別情報毎に、ＤＢ２毎の端末データを管理する端末データ管理部５１と、ＤＢ２からフリーシーティング要求を受信すると、同フリーシーティング要求に含まれる識別情報（内線番号、ＩＤコード及びパスワード）が端末データ管理部５１内にあるか否かを判定する識別情報判定部５２と、この識別情報判定部５２にて同フリーシーティング要求に含まれる識別情報（内線番号、ＩＤコード及びパスワード）が端末データ管理部５１にある場合、所定条件を経て、同識別情報に対応した端末データを端末データ管理部５１から同フリーシーティング要求を発信したＤＢ２へダウンロードするダウンロード部５３と、ＳＡＴ５全体を制御する制御部５４とを有している。
【００４６】
ダウンロード部５３は、識別情報判定部５２にてフリーシーティング要求に含まれる識別情報が端末データ管理部５１内にある場合、同識別情報に対応した端末データを他のＤＢ２で使用中であるか否かを判定する端末データ使用中判定部５３Ａと、この端末データ使用中判定部５３Ａにて同端末データを他のＤＢ２で使用中の場合、同使用中のＤＢ２に対して第三者が同端末データに対してアクセス中であることを示す不正アクセス報告を通知する不正アクセス通知部５３Ｂとを有している。
【００４７】
端末データ管理部５１は、図６に示すように、識別情報毎にＤＢ２の複数の端末データを管理し、ＤＢ２を識別する内線番号単位で端末データを管理することは勿論の事、内線番号＋ＩＤコード単位で端末データを管理、更には内線番号＋ＩＤコード＋パスワード単位で端末データを管理するものである。つまり、端末データ管理部５１は、内線番号＋ＩＤコード単位で端末データを管理する場合、ＩＤコード単位で同一内線番号の端末データを複数管理することができ、更に内線番号＋ＩＤコード＋パスワード単位で端末データを管理する場合、パスワード単位で同一内線番号及び同一ＩＤコードの端末データを複数管理することができるものである。尚、識別情報内のパスワード有無は設定によるものである。
【００４８】
識別情報判定部５２は、ＤＢ２からのフリーシーティング要求を受信すると、同フリーシーティング要求に含まれる識別情報の内線番号が端末データ管理部５１内にあるか否かを判定するものである。
【００４９】
また、識別情報判定部５２は、同内線番号が端末データ管理部５１内にある場合、同識別情報内にＩＤコードが含まれているか否かを判定し、同識別情報内にＩＤコードが含まれている場合、同識別情報のＩＤコードが端末データ管理部５１内にあるか否かを判定するものである。
【００５０】
識別情報判定部５２は、同ＩＤコードが端末データ管理部５１内にある場合、同識別情報内にパスワードが含まれているか否かを判定し、同識別情報内にパスワードが含まれている場合、同識別情報のパスワードが端末データ管理部５１内にあるか否かを判定するものである。
【００５１】
ダウンロード部５３内の端末データ使用中判定部５３Ａは、識別情報判定部５２にて同識別情報のパスワードが端末データ管理部５１内にある場合、同内線番号＋ＩＤコード＋パスワードに対応した端末データを使用中の他のＤＢ２があるか否かを判定するものである。
【００５２】
ダウンロード部５３は、端末データ使用中判定部５３Ａにて同内線番号＋ＩＤコード＋パスワードに対応した端末データを使用中の他のＤＢ２がない場合、同内線番号＋ＩＤコード＋パスワードに対応した端末データを端末データ管理部５１から読み出し、この読み出した端末データを、フリーシーティング要求を発信したＤＢ２へダウンロードするものである。
【００５３】
また、識別情報判定部５２は、識別情報内の内線番号が端末データ管理部５１内にない場合、同内線番号に対応する端末データがないことを示すエラーメッセージを、同フリーシーティング要求を発信したＤＢ２に通知するものである。
【００５４】
また、端末データ使用中判定部５３Ａは、識別情報判定部５２にて識別情報内にＩＤコードが含まれていない場合、同内線番号に対応した端末データを使用中の他のＤＢ２があるか否かを判定するものである。
【００５５】
ダウンロード部５３は、端末データ使用中判定部５３Ａにて同内線番号に対応した端末データを使用中の他のＤＢ２がない場合、同内線番号に対応した端末データを端末データ管理部５１から読み出し、この読み出した端末データを、フリーシーティング要求を発信したＤＢ２へダウンロードするものである。
【００５６】
また、ダウンロード部５３内の不正アクセス通知部５３Ｂは、端末データ使用中判定部５３Ａにて同内線番号に対応した端末データを使用中のＤＢ２がある場合、同端末データを使用中のＤＢ２に対して第三者が現在使用中の端末データへの不正アクセスを検出したことを示す不正アクセス報告を通知するものである。
【００５７】
また、識別情報判定部５２は、識別情報内のＩＤコードが端末データ管理部５１内にない場合、同内線番号＋ＩＤコードに対応する端末データがないことを示すエラーメッセージを、同フリーシーティング要求を発信したＤＢ２に通知するものである。
【００５８】
また、端末データ使用中判定部５３Ａは、識別情報判定部５２にて識別情報内にパスワードが含まれていない場合、同内線番号＋ＩＤコードに対応した端末データを使用中の他のＤＢ２があるか否かを判定するものである。
【００５９】
ダウンロード部５３は、端末データ使用中判定部５３Ａにて同内線番号＋ＩＤコードに対応した端末データを使用中の他のＤＢ２がない場合、同内線番号＋ＩＤコードに対応した端末データを端末データ管理部５１から読み出し、この読み出した端末データを、フリーシーティング要求を発信したＤＢ２に通知するものである。
【００６０】
また、ダウンロード部５３は、識別情報判定部５２にて識別情報内のパスワードが端末データ管理部５１内にない場合、同内線番号＋ＩＤコード＋パスワードに対応する端末データがないことを示すエラーメッセージを、同フリーシーティング要求を発信したＤＢ２に通知するものである。
【００６１】
また、不正アクセス通知部５３Ｂは、端末データ使用中判定部５３Ａにて同内線番号＋ＩＤコード＋パスワードに対応した端末データを使用中のＤＢ２がある場合、同端末データを使用中のＤＢ２に対して第三者が同端末データへの不正アクセスを検出したことを示す不正アクセス報告を通知するものである。
【００６２】
尚、請求項記載のフリーシーティング方式の電話システムはディーリング通話システム１、電話端末はＤＢ２、データ管理端末はＳＡＴ５、端末データ管理手段は端末データ管理部５１、識別情報判定手段は識別情報判定部５２、ダウンロード手段はダウンロード部５３、データ設定中判定手段は端末データ使用中判定部５３Ａ、エラー通知手段は不正アクセス通知部５３Ｂに相当するものである。
【００６３】
次に本実施の形態に関わるディーリング通話システム１の動作について説明する。図７乃至図９は本実施の形態のフリーシーティング運用設定処理に関わるＳＡＴ５側の処理動作を示すフローチャートである。
【００６４】
図７に示すフリーシーティング運用設定処理は、席替前のＤＢ２を物理的に移動させなくても、席替後のＤＢ２からの簡単な操作で、席替前のＤＢ２の端末データを席替後のＤＢ２に設定する処理である。
【００６５】
図７においてＳＡＴ５側の識別情報判定部５２は、ＰＢＸ４経由で、席替後のＤＢ２から識別情報を含むフリーシーティング要求を受信したか否かを判定する（ステップＳ１１）。
【００６６】
識別情報判定部５２は、ＤＢ２からのフリーシーティング要求を受信した場合、同フリーシーティング要求の識別情報内に内線番号が含まれているか否かを判定する（ステップＳ１２）。尚、フリーシーティング要求は、ＤＢ２のＬＣＤ表示部２９に表示中のフリーシーティング画面ページ４０上の識別情報入力欄４０Ａにダウンロード対象の端末データに対応した識別情報を入力し、完了ボタン４０Ｃのボタン操作に応じて出力されるものである。
【００６７】
識別情報判定部５２は、識別情報内に内線番号が含まれている場合、端末データ管理部５１内に同内線番号があるか否かを判定する（ステップＳ１３）。
【００６８】
識別情報判定部５２は、同内線番号が端末データ管理部５１内にある場合、ステップＳ１１にて受信したフリーシーティング要求の識別情報内にＩＤコードが含まれているか否かを判定する（ステップＳ１４）。
【００６９】
ダウンロード部５３内の端末データ使用中判定部５３Ａは、識別情報判定部５２にて識別情報内にＩＤコードが含まれていない場合、同識別情報に含まれた内線番号に対応した端末データを他のＤＢ２で使用中であるか否かを判定する（ステップＳ１５）。
【００７０】
ダウンロード部５３は、端末データ使用中判定部５３Ａにて同内線番号に対応した端末データを他のＤＢ２で使用中でない場合、ステップＳ１１にて受信したフリーシーティング要求に関わるＤＢ２に対してログオン許可し（ステップＳ１６）、同内線番号に対応する端末データを端末データ管理部５１から読み出し（ステップＳ１７）、この読み出した端末データを、同フリーシーティング要求を発信したＤＢ２、すなわち席替後のＤＢ２にＰＢＸ４経由でダウンロードし（ステップＳ１８）、この処理動作を終了する。
【００７１】
つまり、席替後のＤＢ２は、同内線番号に対応した端末データをダウンロードし、同ダウンロードした端末データを設定することになる。その結果、同ＤＢ２では、同設定内容の端末データに基づき制御動作を実行することになる。
【００７２】
また、識別情報判定部５２は、ステップＳ１１にてＤＢ２からのフリーシーティング要求を受信しなかった場合、この処理動作を終了する。
【００７３】
また、識別情報判定部５２は、ステップＳ１２にてフリーシーティング要求の識別情報内に内線番号が含まれていない場合、又はステップＳ１３にてフリーシーティング要求の識別情報内の内線番号が端末データ管理部５１内にない場合、同フリーシーティング要求を発信したＤＢ２に対して、同内線番号の該当なし、すなわちログオン許可ＮＧを示すエラーメッセージを通知することで（ステップＳ１９）、この処理動作を終了する。尚、ＤＢ２側のユーザは、エラーメッセージに基づき、該当内線番号に対応する端末データがないことを認識することができる。
【００７４】
また、ダウンロード部５３内の不正アクセス通知部５３Ｂは、ステップＳ１５にて内線番号に対応した端末データを他のＤＢ２で使用中の場合、現在使用中の端末データに対して第三者からの不正アクセスを報告すべく、同他のＤＢ２に対して不正アクセス報告を通知し（ステップＳ２０）、この処理動作を終了する。尚、他のＤＢ２側のユーザは、不正アクセス報告に基づき、現在使用中の端末データの第三者によるアクセスを認識することができる。
【００７５】
また、識別情報判定部５２は、ステップＳ１４にて識別情報内にＩＤコードが含まれた場合、同識別情報内のＩＤコードが端末データ管理部５１内にあるか否かを判定すべく、図８に示すＭ１に移行する。
【００７６】
図８に示すＭ１において識別情報判定部５２は、同識別情報内のＩＤコードが端末データ管理部５１内にあるか否かを判定する（ステップＳ３１）。
【００７７】
識別情報判定部５２は、同識別情報内のＩＤコードが端末データ管理部５１内にある場合、同内線番号＋ＩＤコードに対応したパスワード設定があるか否かを判定する（ステップＳ３２）。
【００７８】
識別情報判定部５２は、パスワード設定がない場合、ステップＳ１１にて受信したフリーシーティング要求の識別情報内にパスワードが含まれているか否かを判定する（ステップＳ３３）。
【００７９】
端末データ使用中判定部５３Ａは、ステップＳ３２にてパスワード設定がない場合、又はステップＳ３３にて識別情報内にパスワードが含まれていない場合、同内線番号＋ＩＤコードに対応した端末データを他のＤＢ２で使用中であるか否かを判定する（ステップＳ３４）。
【００８０】
ダウンロード部５３は、端末データ使用中判定部５３Ａにて同内線番号＋ＩＤコードに対応した端末データを他のＤＢ２で使用中でない場合、ステップＳ１１にて受信したフリーシーティング要求に関わるＤＢ２に対してログオン許可し（ステップＳ３５）、同内線番号＋ＩＤコードに対応する端末データを端末データ管理部５１から読み出し（ステップＳ３６）、この読み出した端末データを、同フリーシーティング要求を発信したＤＢ２、すなわち席替後のＤＢ２にＰＢＸ４経由でダウンロードし（ステップＳ３７）、この処理動作を終了する。
【００８１】
つまり、席替後のＤＢ２は、同内線番号＋ＩＤコードに対応した端末データをダウンロードし、同ダウンロードした端末データを設定することになる。その結果、同ＤＢ２では、同設定内容の端末データに基づき制御動作を実行することになる。
【００８２】
また、識別情報判定部５２は、ステップＳ３１にてフリーシーティング要求の識別情報内のＩＤコードが端末データ管理部５１内にない場合、フリーシーティング要求を発信したＤＢ２に対してログオン許可ＮＧを示すエラーメッセージを通知することで（ステップＳ３８）、この処理動作を終了する。尚、ＤＢ２側のユーザは、エラーメッセージに基づき、該当内線番号及びＩＤコードに対応する端末データがないことを認識することができる。
【００８３】
また、ダウンロード部５３内の不正アクセス通知部５３Ｂは、ステップＳ３４にて内線番号＋ＩＤコードに対応した端末データを他のＤＢ２で使用中の場合、現在使用中の端末データに対して第三者の不正アクセスを報告すべく、他のＤＢ２に対して不正アクセス報告を通知し（ステップＳ３９）、この処理動作を終了する。尚、他のＤＢ２側のユーザは、不正アクセス報告に基づき、現在使用中の端末データの第三者によるアクセスを認識することができる。
【００８４】
また、識別情報判定部５２は、ステップＳ３３にて識別情報内にパスワードが含まれていた場合、同識別情報内のパスワードが端末データ管理部５１内にあるか否かを判定すべく、図９に示すＭ２に移行する。
【００８５】
図９に示すＭ２において識別情報判定部５２は、同識別情報内のパスワードが端末データ管理部５１内にあるか否かを判定する（ステップＳ４１）。
【００８６】
端末データ使用中判定部５３Ａは、同識別情報内のパスワードが端末データ管理部５１内にある場合、同内線番号＋ＩＤコード＋パスワードに対応した端末データを他のＤＢ２で使用中であるか否かを判定する（ステップＳ４２）。
【００８７】
ダウンロード部５３は、端末データ使用中判定部５３Ａにて同内線番号＋ＩＤコード＋パスワードに対応した端末データを他のＤＢ２で使用中でない場合、ステップＳ１１にて受信したフリーシーティング要求に関わるＤＢ２に対してログオン許可し（ステップＳ４３）、同内線番号＋ＩＤコード＋パスワードに対応する端末データを端末データ管理部５１から読み出し（ステップＳ４４）、この読み出した端末データを、同フリーシーティング要求を発信したＤＢ２、すなわち席替後のＤＢ２にＰＢＸ４経由でダウンロードし（ステップＳ４５）、この処理動作を終了する。
【００８８】
つまり、席替後のＤＢ２は、同内線番号＋ＩＤコード＋パスワードに対応した端末データをダウンロードし、同ダウンロードした端末データを設定することになる。その結果、同ＤＢ２では、同設定内容の端末データに基づき制御動作を実行することになる。
【００８９】
また、識別情報判定部５２は、ステップＳ４１にてフリーシーティング要求の識別情報内のパスワードが端末データ管理部５１内にない場合、フリーシーティング要求を発信したＤＢ２に対してログオン許可ＮＧを示すエラーメッセージを通知することで（ステップＳ４６）、この処理動作を終了する。尚、ＤＢ２側のユーザは、エラーメッセージに基づき、該当内線番号＋ＩＤコード＋パスワードに対応する端末データがないことを認識することができる。
【００９０】
また、ダウンロード部５３内の不正アクセス通知部５３Ｂは、ステップＳ４２にて内線番号＋ＩＤコード＋パスワードに対応した端末データを他のＤＢ２で使用中の場合、現在使用中の端末データに対して第三者の不正アクセスを報告すべく、他のＤＢ２に対して不正アクセス報告を通知し（ステップＳ４７）、この処理動作を終了する。尚、他のＤＢ２側のユーザは、不正アクセス報告に基づき、現在使用中の端末データの第三者によるアクセスを認識することができる。
【００９１】
本実施の形態によれば、識別情報（内線番号、ＩＤコード及びパスワード）毎に端末データを管理しておき、例えば席替後のＤＢ２からダウンロード対象の端末データに対応する識別情報を含むフリーシーティング要求を受信すると、同フリーシーティング要求に含まれる識別情報が端末データ管理部５１内にある場合、同識別情報に対応した端末データを同ＤＢ２へダウンロードするようにしたので、従来のように内線番号毎に単一の端末データを管理するのではなく、ＩＤコードやパスワードを利用して、同一内線番号内でも複数の端末データを管理可能にし、これら複数の端末データから任意の端末データを設定することができるため、座席変更に伴うＤＢ２の変更に柔軟的に対応することができる。
【００９２】
本実施の形態によれば、端末データを、少なくともＤＢ２で使用する局データ（電話帳データ）及びＤＢ２で使用するシステムデータ（仕様データ）を含むようにしたので、例えば席替後のＤＢ２に識別情報に対応した局データ及びシステムデータを設定することができる。
【００９３】
本実施の形態によれば、前記識別情報は、端末データを識別する内線番号及びＩＤコードを含むことで、同一内線番号であっても複数の端末データを管理することを可能にし、席替後のＤＢ２からのフリーシーティング要求に含まれる内線番号及びＩＤコードが端末データ管理部５１内にある場合、同ＤＢ２へ同内線番号及びＩＤコードに対応した端末データをダウンロードするようにしたので、内線番号の他にＩＤコードを含めることで端末データ管理のセキュリティ強化を図ることは勿論のこと、同一内線番号内でも異なる複数の端末データを管理可能にし、これら複数の端末データから任意の端末データを設定することができるため、座席変更に伴うＤＢ２の変更に柔軟的に対応することができる。
【００９４】
本実施の形態によれば、識別情報内の内線番号及びＩＤコードが端末データ管理部５１内にない場合、エラーメッセージをフリーシーティング要求を発信したＤＢ２に通知するようにしたので、ＤＢ２側のユーザは、エラーメッセージに基づき、該当する内線番号及びＩＤコードに対応した端末データがないことを認識することができる。
【００９５】
本実施の形態によれば、識別情報内の内線番号及びＩＤコードが端末データ管理部５１内にある場合、同端末データを現在使用中のＤＢ２があるか否かを判定し、同端末データを現在使用中のＤＢ２がある場合、同使用中のＤＢ２に対してエラーメッセージを通知するようにしたので、現在使用中の電話端末側のユーザは、エラーメッセージに基づき、同一内線番号に関わる第三者のアクセスを認識することができる。
【００９６】
本実施の形態によれば、同端末データを現在使用中のＤＢ２がない場合、端末データ管理部５１からＤＢ２へ同内線番号及びＩＤコードに対応した前記端末データをダウンロードするようにしたので、複数ユーザの同一内線番号の同時使用による不具合を確実に防止することができる。
【００９７】
また、本実施の形態によれば、識別情報は、端末データを識別する内線番号、ＩＤコード及びパスワードを含むことで、同一内線番号であっても複数個の端末データを管理することを可能にし、席替後のＤＢ２からのフリーシーティング要求に含まれる内線番号、ＩＤコード及びパスワードが端末データ管理部５１内にある場合、ＤＢ２へ同内線番号、ＩＤコード及びパスワードに対応した端末データをダウンロードするようにしたので、内線番号の他にＩＤコード及びパスワードを含めることで端末データ管理のセキュリティ強化を図ることは勿論のこと、同一内線番号内でも異なる複数の端末データを管理可能にし、これら複数の端末データから任意の端末データを設定することができるため、座席変更に伴うＤＢ２の変更に柔軟的に対応することができる。
【００９８】
本実施の形態によれば、識別情報内の内線番号、ＩＤコード及びパスワードが端末データ管理部５１内にない場合、エラーメッセージをフリーシーティング要求を発信したＤＢ２に通知するようにしたので、ＤＢ２側のユーザは、エラーメッセージに基づき、該当する内線番号、ＩＤコード及びパスワードに対応した端末データがないことを認識することができる。
【００９９】
本実施の形態によれば、識別情報内の内線番号、ＩＤコード及びパスワードが端末データ管理部５１内にある場合、同端末データを現在使用中のＤＢ２があるか否かを判定し、同端末データを現在使用中のＤＢ２がある場合、同使用中のＤＢ２に対してエラーメッセージを通知するようにしたので、現在使用中のＤＢ２側のユーザは、エラーメッセージに基づき、同一内線番号に関わる第三者のアクセスを認識することができる。
【０１００】
本実施の形態によれば、同端末データを現在使用中のＤＢ２がない場合、端末データ管理部５１からＤＢ２へ同内線番号、ＩＤコード及びパスワードに対応した端末データをダウンロードするようにしたので、複数ユーザの同一内線番号の同時使用による不具合を確実に防止することができる。
【０１０１】
尚、上記実施の形態においては、フリーシーティング要求を受信すると、同フリーシーティング要求の内線番号が端末データ管理部５１内にあって、同内線番号に対応する端末データを他のＤＢ２が使用している場合、又は内線番号＋ＩＤコードが端末データ管理部５１内にあって、同内線番号＋ＩＤコードに対応する端末データを他のＤＢ２が使用している場合、又は内線番号＋ＩＤコード＋パスワードが端末データ管理部５１内にあって、同内線番号＋ＩＤコード＋パスワードに対応する端末データを他のＤＢ２が使用している場合、無条件で、同端末データを使用中の他のＤＢ２に対して不正アクセス報告を通知するようにしたが、例えば内線番号合致→内線番号＋ＩＤコード合致→内線番号＋ＩＤコード＋パスワード合致の順にセキュリティ度の高い順で優先順位を設定し、ダウンロード対象の端末データを使用中のＤＢ２と、同ダウンロード対象の端末データのフリーシーティング要求を発信したＤＢ２との優先順位を比較し、この優先順位に基づき、優先順位の高い方に不正アクセス報告を通知するようにしても良く、例えば内線番号＋ＩＤコードが合致したＤＢ２が同内線番号＋ＩＤコードに対応した端末データを使用中に、同端末データに対応する同一内線番号及び同一ＩＤコードの他にパスワードに合致したＤＢ２が同端末データをダウンロード対象としてフリーシーティング要求を発信した場合は、同端末データを使用中のＤＢ２よりもフリーシーティング要求を発信したＤＢ２の方が優先順位が高いことになるため、同フリーシーティング要求を発信したＤＢ２に対して不正アクセス報告を通知すると共に、現在使用中のＤＢ２を強制的にログオフ、さらにフリーシーティング要求を発信したＤＢ２にログオン許可し、同ログオフ許可のＤＢ２に対して、内線番号＋ＩＤコード＋パスワードに対応した端末データをダウンロードするようにしても良い。
【０１０２】
また、上記実施の形態においては、識別情報の照合結果及び同識別情報に対応した端末データの使用状況に基づき、フリーシーティング要求を発信したＤＢ２に対してログオン許可するようにしたが、同ログオン中のＤＢ２からログオフ要求する場合はＤＢ２から識別情報（内線番号、ＩＤコード及びパスワード）を受信し、同識別情報が同使用中の端末データに対応する識別情報と合致した場合にのみ、フリーシーティング設定のログオフを許可するようにしても良い。
【０１０３】
また、上記実施の形態においては、フリーシーティング方式を採用した複数のＤＢ２で構成するディーリング通話システム１を例に挙げて説明したが、フリーシーティング方式を採用した複数の固定電話機で構成する社内電話交換システム等であっても、同様の効果が得られることは言うまでもない。
【産業上の利用可能性】
【０１０４】
本発明のフリーシーティング方式の電話システムによれば、内線番号を含む識別情報毎に端末データを管理しておき、電話端末からダウンロード対象の端末データに対応する識別情報を含むフリーシーティング要求を受信し、同フリーシーティング要求に含まれる識別情報が端末データ管理手段内にある場合、同識別情報に対応した端末データを同電話端末へダウンロードするようにしたので、従来のように内線番号毎に単一の端末データを管理するのではなく、同一内線番号内でも複数の端末データを管理可能にし、これら複数の端末データから任意の端末データを設定し、座席変更に伴う電話端末の変更に柔軟的に対応することができ、しかも端末データの秘匿性に優れた、複数のディーリング通話端末を備えた、フリーシーティング方式のディーリング通話システムに有用である。
【図面の簡単な説明】
【０１０５】
【図１】本発明のフリーシーティング方式の電話システムに関わる実施の形態を示すディーリング通話システム内部の概略構成を示すブロック図である。
【図２】本実施の形態に関わるＤＢ内部の概略構成を示すブロック図である。
【図３】本実施の形態に関わるＤＢの盤面を端的に示す説明図である。
【図４】本実施の形態に関わるＤＢのＬＣＤ表示部に表示中のフリーシーティング画面ページを端的に示す説明図である。
【図５】本実施の形態に関わるＳＡＴ内部の概略構成を示すブロック図である。
【図６】本実施の形態に関わるＳＡＴの端末データ管理部に管理する端末データのデータ構成を端的に示す説明図である。
【図７】本実施の形態のフリーシーティング運用設定処理に関わるＳＡＴ側の処理動作を端的に示すフローチャートである。
【図８】本実施の形態のフリーシーティング運用設定処理に関わるＳＡＴ側の処理動作を端的に示すフローチャートである。
【図９】本実施の形態のフリーシーティング運用設定処理に関わるＳＡＴ側の処理動作を端的に示すフローチャートである。
【符号の説明】
【０１０６】
１  ディーリング通話システム（電話システム）
２  ＤＢ（電話端末）
５  ＳＡＴ（データ管理端末）
５１  端末データ管理部（端末データ管理手段）
５２  識別情報判定部（識別情報判定手段）
５３  ダウンロード部（ダウンロード手段）
５３Ａ  端末データ使用中判定部（データ設定中判定手段）
５３Ｂ  不正アクセス通知部（エラー通知手段）
【図１】
2009152746.tif 000003
【図２】
2009152746.tif 000004
【図３】
2009152746.tif 000005
【図４】
2009152746.tif 000006
【図５】
2009152746.tif 000007
【図６】
2009152746.tif 000008
【図７】
2009152746.tif 000009
【図８】
2009152746.tif 000010
【図９】
2009152746.tif 000011